(57)【要約】      （修正有）【課題】排泄が起きるまで幼児を便器上にとどめておくためのトイレトレーニング装置を提供する。【解決手段】漫画又はデザインを含む１つの装飾体１２を２つの部分に分け、第１部分１４をトイレタンク２２の上面にトイレタンク２２から上方に突き出るように取付け、第２部分１６はトイレタンク２２の前面上に下方に向かって従属状態で提供され、便座蓋２８が閉じている時に装飾体１２全体が見えるようになっている。第２部分１６に類似する顔が便座蓋２８の下面に取付けられている。便座蓋２８を開けると、トレーニング中の幼児が装飾体１２に注目してトイレトレーニング指示により反応しやすいように漫画キャラクターの視覚的連続性が維持されるようになっている。便器２６の外周部は装飾体１２とコーディネートされてもよい。【選択図】図１
2007146557.tif 000002
【特許請求の範囲】
【請求項１】
便器、便座、便座蓋、タンク及びタンクカバーを有するトイレ用トイレトレーニング装置であって、
ａ）上方に延びる第１部分と従属する第２部分とを含む装飾体を含んでおり、
ｂ）前記装飾体の前記第１部分と前記第２部分は実質的に１つの画像を形成し、
ｃ）前記装飾体の前記第１部分はトイレの前記トイレタンク上部に取付けられており、
ｄ）前記第２部分は前記タンクの前面に取付けられており、
ｅ）前記便座蓋の下面に取付けられた第３装飾体は前記装飾体の前記従属第２部分の画像に一致する画像を含んでおり、前記蓋が前記装飾体の前記第２部分を覆う位置に回動すると、前記蓋の下面の前記画像は前記第２部分に代わって前記第１部分との連続性を維持することを特徴とするトイレトレーニング装置。
【請求項２】
装飾体の第１部分はタンクの上部に取付けられており、前記装飾体の第２部分とは離れていることを特徴とする請求項１記載のトイレトレーニング装置。
【請求項３】
画像は漫画キャラクター又は漫画を含んでおり、装飾体の第１部分は少なくとも前記漫画キャラクター又は漫画の頭部の１部を表し、前記装飾体の第２部分は前記頭部とコーディネートされた前記漫画キャラクター又は漫画を表すことを特徴とする請求項２記載のトイレトレーニング装置。
【請求項４】
装飾体の第１部分はタンクカバーの上面に取付けられた平面部材を含んでいることを特徴とする請求項３記載のトイレトレーニング装置。
【請求項５】
平面部材は第２部分の相補的な画像を表し、前記第２部分はトイレタンクの前面部に取付けられていることを特徴とする請求項４記載のトイレトレーニング装置。
【請求項６】
装飾体の第１部分はタンクカバーの上面に取付けられた平面部材を含んでいることを特徴とする請求項１記載のトイレトレーニング装置。
【請求項７】
平面部材は第２部分の相補的な画像を表し、前記第２部分はトイレタンクの前面に取付けられていることを特徴とする請求項５記載のトイレトレーニング装置。
【請求項８】
トイレタンクに取付けられた装飾体の前面部は目が開いた状態の顔の画像を含んでおり、便座蓋の下面の画像は実質的に類似するが目が閉じた状態の顔の画像を有していることを特徴とする請求項３記載のトイレトレーニング装置。
【請求項９】
トイレタンクに取付けられた装飾体の顔は目が開いた状態であり、便座蓋の下面の画像は目が閉じた状態であることを特徴とする請求項７記載のトイレトレーニング装置。
【請求項１０】
装飾体の第１部分はタンクカバーの上面に取付けられた直立基部レリーフを含んでいることを特徴とする請求項３記載のトイレトレーニング装置。
【請求項１１】
基部レリーフは第１部分を含んでおり、該第１部分は第２部分を補って共に１つの画像を提供するようになっており、該第２部分はトイレタンクの前面に取付けられていることを特徴とする請求項１０記載のトイレトレーニング装置。
【請求項１２】
装飾体の第１部分はタンクカバーの上面に取付けられた平面表示体を有する直立部材を含んでいることを特徴とする請求項３記載のトイレトレーニング装置。
【請求項１３】
平面表示体は第２部分を補って共に１つの画像を提供するようになっており、前記第２部分はトイレタンクの前面に取付けられていることを特徴とする請求項１０記載のトイレトレーニング装置。
【請求項１４】
装飾体の第１部分は直立基部レリーフを含んでいることを特徴とする請求項１記載のトイレトレーニング装置。
【発明の詳細な説明】
【技術分野】
【０００１】
本発明は、幼児のトイレトレーニングの促進を目的として便器に取付ける装飾物に関する。
【背景技術】
【０００２】
幼児のトイレトレーニングのため、長年に渡っていろいろな技術が利用されているが、それ程の効果は見られていない。また、ある幼児には効果があるものが他の幼児には失敗となってトレーニングをさらに難しくすることがある。
【０００３】
ある技術は、幼児の関心をつかんで、排泄が起きるまで幼児を室内便器上にとどめておくようにベル、笛及び特別な音響効果を有する室内便器によるものである。このような室内便器の例は１９９７年８月５日に登録されたグローリー  エス．ホスキンの米国特許５６５２９７５号と、２０００年３月２１日に登録されたウィリアム  エイ．クラークの米国特許６０３８７１１号に開示されている。
【０００４】
ホスキンは容器支持構造体１２と容器支持構造体によって支持される容器１４とを含む自動会話式室内便器装置を開示している。座面１６は容器上に提供され、幼児が座面に座る間は幼児座位センサー構造体２４が感知するようになっている。制御構造体（タイマー２０）が幼児座位構造体に接続されており、性別選択スイッチ２２が制御構造体へ接続されている。タイマーがサイクルに従って作動するにつれて、チップ２５又はチップ２６が室内便器を使用する幼児へ増幅器によって性別に合ったメッセージを提供する。
【０００５】
クラークは、幼児を惹きつけるための擬水流音を発するハンドル２６を有する小型模型トイレに似た室内便器２０を開示している。表示可能トロフィー４２とキャンディ、ステッカー及びおもちゃ等の褒美保存部屋を含む２段階褒美システムが幼児に装置の使用を促し、トイレットトレーニングの習得を加速させる。図２で示すように、ステッカーをトイレ座部の下面に適用でき、後方部材はタンクの内容物が観察できるように透明プラスチックで作られることができる。室内便器は保管が困難で邪魔になる。また、室内便器を使用の度に掃除しなければならない。
【０００６】
室内便器との組み合わせで使用できる別の技術、、又はその代わりとなる技術には、従来の便器への装飾物又は取付具によるものがある。取付具は審美的に楽しいものであって、幼児の便器への注目度に重点を置き、トレーニングもこれに関する。２００１年３月１３日登録のエイオン  エヌ．クリスマスの米国意匠登録第４３８９４０号は装飾便器を開示しており、一方、２０００年３月１４日登録のスティーブン  ケイ．バビロンの米国特許第６０４７８７１号は便器用取付具を開示している。
【０００７】
クリスマスは水タンク、便器及び便座蓋に軸で取付けられた便座を含むトイレについて説明している。便座蓋の下側の、上列を表す絵又はステッカーと下列を表す絵又はステッカーを示す。図２は水タンク前面部の目、水タンクの両側の耳を示す。便器を開けるために便座が上方に軸回転されると、蓋がタンクの目を覆い隠すようになっている。
【０００８】
バビロンはトイレ１２，１４，１５，１８を含むトイレ衛生トレーニングシステムを開示している。トイレ感知収容部２０はタンクに取り外し可能にカップリングされており、収容部はトレーニング中の幼児が喜ぶ楽しいキャラクターを提供するように猿の形状である。トイレ音再生構造体２８（図３参照）はトイレ感知収容部内に収容されている。便座センサー３４はトイレ感知収容部へカップリングされており、ハンドルセンサー３６はトイレ感知収容部へカップリングされている。
【発明の開示】
【発明が解決しようとする課題】
【０００９】
前述のトイレトレーニング装置は１以上の以下の欠点を有する。クリスマスが開示する様ないくつかの装置では、既存技術のトイレタンクにタンクの両側から横方向に突き出る耳を追加する設定をしなければならない。バビロン等の他の装置では、猿の形状をしたユニークな収容部が音声再生構造体、デジタル再生制御体等の電子部品を収容している。これらの部品はトイレ付近の便座、ハンドル、踏み台等周囲のセンサーによって作動される。その結果、簡単で効果的な、従来のトイレに使用でき、設置に手間がかからず、最終的には取り外せるトイレトレーニングシステムとしては不満が残る。
【課題を解決するための手段】
【００１０】
本発明の目的は、従来のトイレへ簡単に取り付けることができ、トイレトレーニングが終了した時には簡単に取り外すことができる装飾体を含むトイレトレーニングシステムを提供することである。
【００１１】
本発明の別の目的は、トイレトレーニング中の幼児がトイレを親しい相手として見ることができるよう、装飾的漫画、デザインあるいはこれらの組み合わせをトイレタンクの上部及び前面部に固定することである。
【００１２】
別の目的は、便座蓋の下側とトイレタンクの前面部を延び下る装飾体部分の従属部分に同一又は一致する漫画又はデザインを提供することである。便座の下側とトイレタンクの前面部の漫画は、タンク上部に固定された装飾体の上部分の漫画キャラクターと視覚的にコーディネートされている。
【００１３】
さらに別の目的は、描写又はステッカーによって、トイレ基部がトイレタンクに固定された装飾体の漫画キャラクター又はデザインの下部分を表すことである。
【００１４】
その他の目的及び利点は、添付の図面を明細書と共に理解することで明らかになるであろう。
【００１５】
前述の目的を達成するため、装飾体を含むトイレトレーニングシステムが提供される。装飾体は耳を有する頭部等の上方に延びている第１部分と顔等の従属する第２部分を含んでいる。装飾体の第１部分は、装飾体の２部分が相補的な画像を提供するようにトイレタンクに取り付けられている。第２部分はタンクの前面と接触する。トイレタンクは便器と協調的に関連している。蓋はトイレタンクに関して軸回りに回動するように便器に固定されている。蓋の下側は装飾体の従属部分の画像と一致する画像で装飾されている。よって、蓋が装飾体の従属部分の画像を覆う位置に回動されると、蓋の下側の画像が代わりとなって視覚的連続性を維持する。
【００１６】
さらに、装飾体の第１部分はトイレタンクに取り付けられるか又は固定されることができる。装飾体の第１部分は突き出た耳を有する犬の頭の形状でもよく、第２部分は目、鼻及び口を有する犬の顔でもよい。装飾体の第１部分は３次元画像を表すように型取ったプラスチック又は平面画像を表す堅いボール紙への印刷物でもよく、第２部分はトイレタンクの前面に適用されたステッカー又は印刷でもよい。蓋の下側の画像は装飾体の第２部分に対応するステッカー又は印刷でもよい。
【００１７】
最後に、便器は装飾体の画像と一致する状態に装飾されてもよい。このように、便器は犬の体を連想させるように印刷されるか又は装飾される。犬の体の斑点、手足はトイレトレーニングの成功率を上昇させるよう便器の外側に描かれてもよい。
【発明を実施するための最良の形態】
【００１８】
図１と図２は本発明のトイレトレーニング装置を示す。トイレトレーニング装置は番号１０で示されており、犬やネコ等の親しみやすい動物、童話の登場人物、童謡、デザイン又は運動選手等のキャラクターが提供された装飾体１２を含んでいる。
【００１９】
装飾体１２は２つの視覚的相補的な部分を含んでいる。装飾体１２は耳や別部分１６等の直立部分１４を含む第１部分を含んでいる。実施例では、全体が漫画の顔となっている。第２部分１６は楽しい雰囲気にアレンジされた目１７、鼻１９及び口２１で装飾されてもよい。第１部分１４は、狭間隔１８又はトイレタンク２２のカバー２０の側面１９によって第２部分１６から分離されてもよい。
【００２０】
ハンドル２４はタンク２２から便器２６への水流を制御し、ハンドル２４は従来型又は漫画キャラクターに合う形状であってもよい。ここでは漫画キャラクターは犬であり、ハンドル２４は犬の骨の形状でもよい。便座蓋２８は、図１では従来技術のように下方にあり、便座３０に重なって覆うよう上面２９を現している。玉浮バルブ等のバルブとフラッパーバルブ（図示せず）はタンク２２の内部に取り付けられており、従来のようにハンドル２４の下降に反応してトイレを通過する水通路を制御するよう作用する。
【００２１】
便器２６は、漫画１２の頭部１４と顔１６の斑点模様と一致する模様の斑点３２で装飾されてもよく、同様に、足３６を含む漫画犬の本体３４に似た装飾を便器２６へ適用してもよい。装飾を便器２６へ印刷するか又は感圧式ステッカーによって貼付してもよい。
【００２２】
蓋２８は従来のように便座３０（図２）後部のヒンジ３８によって回動式に取付されている。蓋２８が上方に引き上げられると、蓋２８の上面２９がトイレタンク２２の正面に乗って漫画顔１６を覆う。便器２６の開口部４０は従来のように蓋２８の軸回転運動によって現れる。
【００２３】
蓋２８の下面３１は、引き上げられた蓋２８に覆われた装飾体１２の正面１６に対応する印刷、ステッカー等４２を表す。下面３１の装飾体４２は一般的に画像１６と一致し、装飾体１２の他の特徴及び第１部分１４とコーディネートされている。このようにして装飾体４２は装飾体１２の図の統一性を維持しており、便器２６の開口部４０を開けた時、幼児の関心を引くことに重点を置いている。トイレトレーニングやレッスンが終了した時には、蓋２８が軸３８周りを回動して便座３０を閉じ、装飾体１２の元の第２部分１６が再び現れるようになっている。
【００２４】
図３は本発明の別実施例を示しており、１００番台の番号は本発明の第１実施例の説明で使用した部品と類似する部品を示す。装飾体１１２を含む装置１１０は漫画であり、装飾体１１２は犬類を表している。便器２６は第１実施例の装飾体１２を補完的に装飾しているが、図３の実施例では便器１２６は従来構造の装飾されていないものである。装飾体１１２は、頭部が延びた弓状デザインである装飾体を含む第１部分１１４と印刷又はステッカーでタンク２２へ接着できるデザインの第２部分を含んでいる。さらに、縁部１２１の下方に延びるタンクカバー１２０にはデザインがない。キャラクターの繋がりは１１４と１１６の２つの部分の接近性から判断できる。
【００２５】
図４と図５は本発明のさらに別の実施例を示しており、２００番台の番号は前述の実施例で説明した部品と類似する部品を示す。装置２１０は別の漫画キャラクターの装飾体２１２を含んでいる。便器２２６は前述の実施例の装飾体１２と１１２を相補的に装飾するように装飾されているが、便器２２６はキャラクター２３３を象徴するように装飾している。本実施例では漫画キャラクター２１２は牛でもよい。便器２２６は漫画キャラクター２１２を象徴するようなもので装飾できる。本実施例では、牛の首周りに典型的に提供される代表的なものである牛の鈴とロープの部分図２３５が提供されることができ、漫画牛の顔の直下の中心に位置されている。牛の典型的な斑点模様２３７を提供することもでき、便器基部２３９には牛のひづめ２４１を表す象徴的な漫画を提供することもできる。選択された漫画キャラクターの顔を象徴するような類似物も本発明の別の実施例で同様に選択できる。装飾体２１２は、本実施例ではキャラクターと調和する延びた角を有する直立頭部を示す第１部分１１４と、印刷物、ステッカー又は顔状のものを取付けたもの等の第２部分２１６を含んでいる。水洗ハンドル１２４も同様に利用できる。
【００２６】
本実施例では、キャラクターの顔２１２（図５）はカバー２２８の下面２３１の縁部２２９には提供せず、装飾のない境界線２４３であってもよい。頭部２１４の顔２１２間の接続はタンク２２２の顔２１２の整合性と類似性によって判断される。また、蓋２２８が閉じている時（図５）は目２４５は開いた状態であり（図４）、蓋２２８が上がっている時は目２４５は閉じた状態である。目が開いている時は歓迎を、閉じているときは休業を表し、プライバシーを意味している。  
【００２７】
第１部分１４，１１４，２１４はトイレタンク２２，１２２，２２２のカバー２０，１２０，２２０の上面２３，２２３（図３では見えない）に直立させてもよい。第１部分１４、１１４、２１４はベルコロ(Velcro)接着剤（図示せず）又は同等の手段で上面２３，２２３に取り付けるか、さらに安定するようクリップや他の支持体等で取付ることもできる。第１部分１４，１１４，２１４はキャラクターの平面画像、立体物すなわち３次元物であってもよい。
【００２８】
便座蓋２８（図１と図２）、１２８（図３）と２２８（図４と図５）が閉じている時、キャラクターの顔１２，１１２，２１２と頭部１４，１１４，２１４は幼児に歓迎する魅力的な漫画又は同等の顔を表示するようになっている。蓋２８、１２８，２２８が上げられている時、同じ顔１２，１１２，２１２は頭部１４，１１４，２１４と整合する。キャラクターが見える間は、便座は幼児を歓迎する状態となっている。さらに、蓋２２８が下がっている時、目２４５は開いており、蓋２２８が上がっている時、目は閉じており、この体系的なつながりが幼児にプライバシーの感覚を与えると思われる。
【００２９】
前述の説明を検討すれば当業者にとって本発明の改良や変形は可能である。例えば、装飾体１２と１１２の頭部１４，１１４を適切に装飾された堅い紙又はボール紙で作ったり、又はプラスチック成型物でもよい。ステッカー又はアップリケも印刷物４２の代わり又は組み合わせで使用できる。装飾体１２，１１２の画像は幾何学形状、デザイン、童話本又は漫画キャラクター等でもよい。よって、請求の範囲は自由に解釈されるべきであり、語句にとらわれるべきではない。
【図面の簡単な説明】
【００３０】
【図１】図１は、便座蓋が閉じた状態の、従来のトイレに固定されたトイレトレーニング装置の１実施例の斜視図である。
【図２】図２は、便座蓋が開いた状態の、図１のトレーニング装置の斜視図である。
【図３】図３は、便座蓋が閉じた状態の、トイレに固定された本発明のトイレトレーニング装置の別実施例を示す正面図である。
【図４】図４は、便座蓋が閉じた状態の、トイレに固定された本発明のトイレトレーニング装置のさらに別の実施例を示す正面図であり、。
【図５】図５は、便座蓋を開いた状態の、図４の実施例の正面図である。
【図１】
2007146557.tif 000003
【図２】
2007146557.tif 000004
【図３】
2007146557.tif 000005
【図４】
2007146557.tif 000006
【図５】
2007146557.tif 000007
【手続補正書】
【提出日】平成19年2月5日(2007.2.5)
【手続補正１】
【補正対象書類名】図面
【補正対象項目名】図４
【補正方法】変更
【補正の内容】
【図４】
2007146557.tif 000008
【手続補正２】
【補正対象書類名】図面
【補正対象項目名】図５
【補正方法】変更
【補正の内容】
【図５】
2007146557.tif 000009
【外国語明細書】
2007146557.tif 000010
2007146557.tif 000011
2007146557.tif 000012
2007146557.tif 000013
2007146557.tif 000014
2007146557.tif 000015
2007146557.tif 000016
2007146557.tif 000017
2007146557.tif 000018
2007146557.tif 000019
2007146557.tif 000020
2007146557.tif 000021
2007146557.tif 000022
2007146557.tif 000023
【図１】
2007146557.tif 000024
【図２】
2007146557.tif 000025
【図３】
2007146557.tif 000026
【図４】
2007146557.tif 000027
【図５】
2007146557.tif 000028